(57)【要約】【課題】              本発明は簡易な構成で、風圧がかかる悪条件でも十分実施することができる蛍光灯照明器具を提供することを課題とする。【解決手段】        ソケット２は、ソケット取付金具１０とソケットを押さえる押板２０とで固定するように構成し、同ソケット取付金具は、蛍光ランプ３をソケットに装着した状態で、蛍光ランプとの平行方向の両端内側に突出してソケットに係合する一対の係合片２２を設けて構成し、また蛍光ランプの装着状態において、ソケットの背面に位置して直立受部１３を有して構成し、またソケットは前記一対の係合片に係合する係合部と、内側壁に段部３３を有して構成し、押板はソケット取付金具の平面部１８に載置する平坦部２１と、ソケット取付金具の段部に掛合する掛合片２２を有して構成してある。【選択図】          図２
2007220599.tif 000002
【特許請求の範囲】
【請求項１】
照明器具本体に、適数対のソケットを配置し、同ソケットとソケットの間に、直管型蛍光ランプを装着する蛍光灯照明器具において、
ソケットは、ソケット取付金具とソケットを押さえる押板とで固定するように構成し、同ソケット取付金具は、直管型蛍光ランプをソケットに装着した状態で、直管型蛍光ランプとの平行方向の両端内側に突出して一対の係合片を設け、また直管型蛍光ランプの装着状態において、ソケットの背面に位置して直立受部を有して構成し、またソケットは前記一対の係合片に係合する係合部と、内側側壁に段部を有して構成し、押板はソケット取付金具の平面部に載置する平坦部と、ソケットの段部に掛合する掛合片を有して構成し、さらに押板の掛合片の高さと、ソケット取付金具の直立受部の高さは、略同一に構成したことを特徴とする蛍光灯照明器具。
【請求項２】
押板の掛合片は、ソケットの段部上面一端を押圧するように構成したことを特徴とする請求項１記載の蛍光灯照明器具。
【発明の詳細な説明】
【技術分野】
【０００１】
本発明は、照明器具本体に、適数対のソケットを配置し、同ソケットとソケットの間に、直管型蛍光ランプを装着してなる蛍光灯照明器具の改良に関する。
【背景技術】
【０００２】
従来、一般形の蛍光灯照明器具は、図８に示すように、照明器具本体４０の両端にソケット４１をビス等で固定したものが実施されている。
また鋼板で形成した照明器具本体の長手方向の両端近傍に、係合縁を有するソケットを支持するためのソケット取付け部を形成し、また同ソケットは係合縁に着脱自在に係合可能な係合スリットを有して構成し、さらにアダプタをソケットに支持して、リニューアルに対応し得る構造としたものが提案されている。
【０００３】
【特許文献１】特開２０００−２２２９２８
【発明の開示】
【発明が解決しようとする課題】
【０００４】
ところで、上記した従来の蛍光灯照明器具によると、振動や風圧加重がかかる場所で使用すると、ビスの緩みやソケットの一部に亀裂が入る恐れが生じ、長期間安全に実施できないことがおこり得る欠点がある。
【０００５】
本発明は簡易な構成で、風圧がかかる悪条件でも十分実施することができる蛍光灯照明器具を提供することを目的とする。
【課題を解決するための手段】
【０００６】
本発明に係る請求項１は上記課題を解決するために、照明器具本体に、適数対のソケットを配置し、同ソケットとソケットの間に、直管型蛍光ランプを装着する蛍光灯照明器具において、ソケットは、ソケット取付金具とソケットを押さえる押板とで固定するように構成してある。また同ソケット取付金具は、直管型蛍光ランプをソケットに装着した状態で、直管型蛍光ランプとの平行方向の両端内側に突出して一対の係合片を設け、また直管型蛍光ランプの装着状態において、ソケットの背面に位置して直立受部を有して構成してある。またソケットは前記一対の係合片に係合する係合部と、内側側壁に段部を有して構成し、押板はソケット取付金具の平面部に載置する平坦部と、ソケットの段部に掛合する掛合片を有して構成してある。そして押板の掛合片の高さと、ソケット取付金具の直立受部の高さは、略同一に構成してある。
【０００７】
請求項２は、請求項１における蛍光灯照明器具の押板の掛合片は、ソケットの段部の上面一端を押圧するように構成してある。
【発明の効果】
【０００８】
上記した請求項１によると、ソケット取付金具は、直管型蛍光ランプをソケットに装着した状態で、直管型蛍光ランプとの平行方向の両端内側に突出して一対の係合片を設け、また直管型蛍光ランプの装着状態において、ソケットの背面に位置して直立受部を有して構成し、またソケットは前記一対の係合片に係合する係合部と、内側側壁に段部を有して構成し、押板はソケット取付金具の平面部に載置する平坦部と、ソケットの段部に掛合する掛合片を有して構成し、押板の掛合片の高さと、ソケット取付金具の直立受部の高さは、略同一に構成してあるので、ソケットは強固に支持され、風圧加重のかかる場所でも十分に使用することができる効果がある。
【０００９】
また請求項２によると、押板の掛合片は、ソケットの段部の上面一端を押圧するので、ソケットに不意な外力が加わった場合、ソケットの凹溝付近には外力が伝わることがなく
ソケットは確実且つ強固に支持することができる。
【発明を実施するための最良の形態】
【００１０】
以下本発明の最良の形態を図１乃至図７について説明する。
【実施例１】
【００１１】
図１は本発明に係る蛍光灯照明器具の正面図。図２は図１に示す蛍光灯照明器具の一部拡大斜視図。図３は図２における蛍光灯照明器具のソケットの斜視図。図４は図２におけるソケット取付金具の斜視図。図５と図６は図２における押板の斜視図である。図１において、１は長尺状の照明器具本体であって、適数対のソケット２を支持して構成してある。３はソケットとソケットの間に装着する直管型の蛍光ランプである。４は照明器具本体１の複数箇所に支持してなる支持具である。５は接続端子ボックス、６は接続端子ボックス５に接続してなるリード線である。７は照明器具本体１の一端空間部に支持してなる安定器である。ここで、ソケット２と接続端子ボックス５等はパッキンを介して防水構造としてある。
【００１２】
図２、図４において、１０は照明器具本体１に支持してなるソケット取付金具であって、例えば鋼板で平面部１８を有して構成してある。１１はソケット取付金具１０を打ち抜き形成した一対の係合片であって、両端側壁の立ち上げ片１２の上端部を内方に曲折して構成してある。１３はソケット取付金具１０に立ち上げて構成した直立受部であって、直管型蛍光ランプの装着状態において、ソケットの背面に位置するように構成してある。１４は直立受部１３を立ち上げること等によって形成された空孔１５の略中心内方に向かって突出してなる突出片であって、ソケットの底部の一部が載置される。１６はソケット取付金具１０の複数箇所に形成してなるビス孔である。１７はソケット取付金具１０の複数箇所に形成してなる押圧用凹部であって、ソケット取付金具１０の壁面強度が増大される。
【００１３】
図５と図６において、２０はソケットを押さえる押板であって、ソケット取付金具１０の平面部１８に載置する平坦部２１と、ソケットの段部３３に掛合する掛合片２２を有して構成してある。また押板の掛合片２２の高さと、ソケット取付金具１０の直立受部１３の高さは、略同一の高さに構成してある。このように押板の掛合片２２の高さと、ソケット取付金具１０の直立受部１３の高さを略同一に構成することによりソケットは確実且安定して支持される。また押板２０の掛合片２２は、図６に示すように、両端付近に形成し、中間部はくり抜いて構成してもよい。
【００１４】
図２、図３において、３０は、ソケット取付金具１０と押板２０とにより、ソケットを照明器具本体１に支持するソケットであって、両側に係合片に嵌合する凹溝３１を有して構成してある。３３はソケット３０の内側側壁に構成した段部である。
【００１５】
また蛍光灯照明器具の押板２０の掛合片２２は、ソケットの段部３３の上面部の一端を押圧するように構成してある。このように、ソケットの段部３３の上面部の一端で押圧するように構成すると、ソケットはソケット取付金具１０と押板２０とにより確実に支持される。
【実施例２】
【００１６】
図７は上記した蛍光灯照明器具の他の実施例を示す一部拡大斜視図であって、ソケット取付金具１０の一対の係合片は、ソケット２の凹溝３１ではなく、ソケット２の外側壁段部３２に掛合するように構成してある。同実施例によると、実施例１と同じくソケットを確実に支持することができる。
【００１７】
次に上記した蛍光灯照明器具とソケットの支持について説明する。
（１）上記した蛍光灯照明器具によると、ソケット２は、上記したソケット取付金具１０の一対の係合片１１と、直立受部１３と、突出片１４と、平面部１８の一部に当接され、押板２０の掛合片２２が段部３３に掛合し、また押板２０の掛合片２２の高さと、ソケット取付金具１０の直立受部の高さは、略同一の高さに構成してあるのでソケットは強固に支持される。
（２）さらに押板２０の掛合片２２は、ソケット２の段部３３の上面一端を押圧するので、ソケットは内方である蛍光ランプ側で押圧力がかかるので、確実且つ強固に支持することができる。
（３）また上記した本発明にかかる蛍光灯照明器具によると、風圧に耐えることができるので、自動車用トンネルや鉄道用トンネルにそのまま簡易に使用することができる。
【図面の簡単な説明】
【００１８】
【図１】本発明に係る蛍光灯照明器具の正面図。
【図２】図１に示す蛍光灯照明器具の一部拡大斜視図。
【図３】図１における蛍光灯照明器具のソケットの斜視図。
【図４】図１におけるソケット取付金具の斜視図。
【図５】図１における押板の斜視図。
【図６】図１における押板の他の構造を示す斜視図。
【図７】本発明に係る他の実施例の蛍光灯照明器具の一部拡大斜視図。
【図８】従来の蛍光灯照明器具の一部拡大斜視図。
【符号の説明】
【００１９】
１  照明器具本体
２  ソケット
３  蛍光ランプ
４  支持具
５  接続端子ボックス
６  リード線
７  安定器
１０  ソケット取付金具
１１  係合片
１２  立ち上げ片
１３  直立受部
１４  突出片
１５  空孔
１６  ビス孔
１７  押圧用凹部
１８  平面部
２０  押板
２１  平坦部
２２  掛合片
３１  凹溝
３２  外側壁段部
３３  段部
【図１】
2007220599.tif 000003
【図２】
2007220599.tif 000004
【図３】
2007220599.tif 000005
【図４】
2007220599.tif 000006
【図５】
2007220599.tif 000007
【図６】
2007220599.tif 000008
【図７】
2007220599.tif 000009
【図８】
2007220599.tif 000010